【手続補正書】
【提出日】平成16年9月15日(2004.9.15)
【手続補正１】
【補正対象書類名】明細書
【補正対象項目名】全文
【補正方法】変更
【補正の内容】
【書類名】                                明細書
【発明の名称】                    洋式トイレに供する組立式前面手摺
【特許請求の範囲】    
【請求項1】  洋式トイレに供する組立式前面手摺は、洋式トイレで利用者が便座に座した時に、利用者の前面に手摺を設置するという特徴を有する、洋式トイレに供する組立式前面手摺。
【請求項2】  洋式トイレに供する組立式前面手摺は、利用者の身長、体形等、利用者のあらゆる条件に対応できる様に、利用者の身長等の高さや前後に合わせた場所に設置、固定する事により、利用者の安全性と、快適性、利便性、機能性を併せ持つという特徴を有する、洋式トイレに供する組立式前面手摺。
【請求項3】  当該、洋式トイレに供する組立式前面手摺は、普段使用しないときには、手摺を手摺受け手側から手摺を取り外して、当該手摺を、手摺保持ヒンジ設置位置壁面側に、尚且つトイレ床面に対して垂直に立てておくことで、利用者がトイレを利用するときの出入りの妨げになるのを防止するという特徴を有する、洋式トイレに供する組立式前面手摺
【請求項4】  当該、洋式トイレに供する組立式前面手摺を使用する時には、当該手摺の手摺受け手側に、当該手摺を手摺保持ヒンジを支点にして、約９０度の角度に回転させながら降ろす事により、手摺保持部から取り外して手摺受け手に手摺を嵌め込み保持させる事により、その機能を発揮するという特徴を有する、洋式トイレに供する組立式前面手摺。
【0001】
【発明の詳細な説明】
当該発明品は、洋式トイレにおいて利用者が洋式便座に座した時に、利用者の前面に手摺を設置する事により、高齢者や、身体的弱者、局部を患っている患者等、長時間排泄作業を強いられている人達に、依り快適で安全な、又、利便性の高い排泄作業環境を提供出来る物である。又、健全な人達の中でも安全で快適な排泄作業環境を、求めている人達が多数である。それらの人達にも苦痛や我慢を強いる事無く、依り安全で快適な、排泄作業環境を提供する物である。利用者が洋式便器の便座に座したときに、当該手摺を利用者の前面の胸の位置等、利用者が一番利用しやすい場所に設置、固定する。その前面の手摺の位置は、構造上設置位置が固定、特定されている物ではないから、利用者の身長やその他の条件により異なるが、利用者が、一番利用しやすい位置に合わせて、設置、固定する事により、利用者が便座に座した時に、その機能はいかんなく発揮する。手摺の使用は、簡単な構造で、しかも比較的軽量物質である為に、高齢者や身体的弱者でも、簡単に利用することが出来るように設計されている。利用者は、洋式便座に座して前面の当該手摺の手摺受け手側に、手摺本体保持ヒンジを支点にして、手摺を手摺保持部から取り外して、約９０度の書くぢに回転させながら手摺保持リング反対側、手摺受け手側に当該手摺を上方から嵌め込めば、簡単に設置する事が出来る物である。簡単に言えば、踏み切りの遮断機のように手摺保持部から取り外して、約９０度回転させながら手摺保持側に降ろす事で簡単に利用できるように設計されている。又、トイレや手摺を不使用中は、当該手摺は、手摺受け手から手摺を取り外し、手摺受けて側を手摺保持部に持ち上げて手摺保持部に嵌め込み保持させることて、床面に対して垂直に立てておくことで、トイレを使用する時や、トイレを退出する時の、出入りの妨げを防止する事が出来る構造を保持させている。したがって、トイレを不使用中は、手摺は常に床面に対して垂直に保持されている構造であるから、トイレの出入りには、何等支障をきたす事はないのである。  
【0002】
【発明の属する技術分野】
洋式トイレの手摺に関する技術分野である。
【0003】
【従来の技術】
従来の技術での洋式トイレ用手摺はどれでもトイレの壁面、つまり利用者が便座に座した時の状態の左右両側壁面に固定されており、トイレを利用する時に、立上ったり、座しようとする時、つまり、身体の移動中はその機能を発揮するが、利用者が便座に座して排泄作業中は、その機能は、ほとんど使用されていないのである。
【0004】
【発明が解決しようとする課題】
従来の技術により洋式トイレに供されている手摺の課題は、手摺は利用者が便座に座した時の左右両側壁面にのみ固定されている為に、利用者が便座に座してからは、排泄作業中の痛みや痺れ等の苦痛を和らげるために、便座に掛かる利用者自身の体重を分散させようとして、手摺に利用者自身の体重を移動させようとしても、手摺の位置が、体重の重心位置とかけ離れているために、利用者は、腕力だけで体重を分散させなければいけない。又、無理に体重の移動を試みても、利用者は上半身の肩の部分のみの左右移動になる為に変形姿勢を保持しなければならなくなり、到底、安全で快適な排泄作業環境を、維持する事が出来ないのである。その事が高齢者や身体的弱者、又、局部を患っている患者等、特に腕力の弱い人達には、大変な苦痛や危険を強いているのである。又、健全な人達でも、排泄作業時間が長い人達等のように、安全で快適な排泄作業環境を望んでいる人達に、大変な苦痛や危険を強いている事になる。又、前方に手摺がない為に、特に高齢者や身体的弱者等は、前方に転倒して骨折する事故等が、多く見受けられて非常に危険を伴っているという課題を抱えているのである。
【0005】
【課題を解決するための手段】
前0002項、0003項で述べる様に、利用者が便座に座した時の姿勢の最適な位置の前方に、手摺が設置されていれば、利用者は、体重を利用者自身の両肘等を利用して、前方の手摺に載せかけたり、捉まえたりして、体重移動させる事により簡単に体重の移動が出来、何等、苦痛や危険を伴う事もなく、解決できる問題である。又、前方に手摺がない為に、前方に転倒する事故が高齢者や身体的弱者に多く見受けられる。こういう問題も前方に手摺があれば、手摺は利用者が前方に転倒するのを簡単に防止出来る物である。又、人間が身体の構造上、上半身を左右どちらの方向でも前屈姿勢をとらずに、横方向だけに傾けるのは、非常に不自然な姿勢を保持しなければ行けない為に苦痛を伴うが、ごく自然な形での前屈姿勢を保つのは苦痛を伴わないのを利用して、前面に手摺を取り付けて、上半身の体重を利用者の腕や肘などに分散させ、利用者の上半身の体重の分散を図り、安全で快適な排泄作業環境を提供出来るようにして問題の解決を図る物である。
【0006】
【発明の実施の形態】
ここで図面を参照して、発明の実施の形態を説明する。図１は、当該発明品である、洋式トイレに供する組立式前面手摺を、トイレに取付けた状態で、手摺を手摺受け手側に取り付けた状態の正面図である。つまり、使用中の図である。図２は、トイレを不使用中は、図2のような状態で手摺は保持されている。従って、トイレを利用する時には、何等の問題も無く、トイレの出入りを妨げる事にはならないのである。図２は当該手摺をトイレ壁面に設置固定したときの正面図である。トイレを使用する時は当該手摺の本体、図2中符号１を手摺保持部図2中符号１２から取り外して、手摺本体符号1を約９０度回転させながら、踏み切りの遮断機の要領で下ろしながら、手摺保持ヒンジ反対側の壁面に取り付け保持されている手摺支持部に嵌め込むことにより其の機能を発揮するように設計設備されており、簡単に手摺が固定されて、安全で快適な排泄作業環境が整う事になる。
【0007】
【発明の効果】
当該洋式トイレに供する前面手摺は、洋式トイレをすでに設置して利用している一般家庭、事業所、福祉施設、公共のトイレ等、洋式トイレを利用しているあらゆる所で、利用出来るように改良され発明された物である。従来迄の技術で取付け設置され、利用されている手摺は、どれもほとんどが、利用者が洋式便器の便座に座した時、トイレの左右両側壁面にしか取り付けてなくて、利用者が便座に座した時は、利用者自身の全体重は臀部又は、太腿部裏側一点にかかることになり、その事による痺れや痛み等の苦痛は大きなものである。利用者は体重を分散させるために、体重の移動や分散を試みるが、上半身の肩の部分のみを左右にしか、利用者自身の体重移動がさせられない為に、非常に不自然な姿勢をする事になり、安全性、快適性にはつながらない事になる。現在、高齢化社会が叫ばれており、又身体的な弱者の人達等に当該発明品である洋式トイレの前面に手摺を提供する事により、前面転倒事故を防止したり、排泄作業準備行為、排泄作業終了行為等、安全で快適な排泄作業環境を提供する事によりして、広く、社会の福祉に貢献する物である。又、高齢者や身体的に弱者等の人達ばかりでなく、局部を患っている患者さんや、健全な人達にも、快適で安全な排泄作業環境を提供する事で、広く社会の福祉に貢献出来る物である。
【0008】
【図面の簡単な説明】
1、【図1】当該発明品である、洋式トイレに供する前面手摺を、トイレ壁面に取付けて、設置固定させ、手摺を使用できる状態での正面図である。
2、【図2】当該発明品である洋式トイレに供する前面手摺を、手摺受け手から取り外して、手摺本体を手摺保持ヒンジを支点にして約９０度回転させて手摺本体保持ヒンジ側壁面に取り付け保持させている手摺本体保持部に保持させて、手摺本体をトイレ床面に対して垂直に立てて、トイレの出入りの妨げになるのを、防止した状態の正面図である。
【009】
【符号の説明】
１.手摺本体である。
２.手摺本体支持ヒンジである。
３.当該手摺本体、壁面取り付け用取り付け板である。
４.当該手摺本体、保持用回転ヒンジ用ヒンジピンである。
５.当該手摺本体受け手である。
６.当該手摺保持用取り付けネジである。
７.当該手摺保持部壁面取り付け用取り付け板である。
８.当該手摺本体壁面取り付け用取り付け板である。
９.トイレ床面である。
１0.トイレ壁面である。
11.当該手摺本体保持部壁面取り付け用取り付け板である。
12.当該手摺本体保持部である。
【手続補正２】
【補正対象書類名】図面
【補正対象項目名】全図
【補正方法】変更
【補正の内容】
【図１】
2004121308.tif 000001
【図２】
2004121308.tif 000002